【手続補正書】
【提出日】令和1年7月23日(2019.7.23)
【手続補正１】
【補正対象書類名】特許請求の範囲
【補正対象項目名】全文
【補正方法】変更
【補正の内容】
【特許請求の範囲】
【請求項１】
記録材上のトナー像を加熱するためのニップ部を形成するエンドレスベルト及び回転体と、
記録材の搬送方向に沿って設けられ、前記エンドレスベルトをその内側から前記回転体に向けて押圧する第１のパッド部材及び第２のパッド部材と、
前記第２のパッド部材が前記エンドレスベルトを前記回転体に向けて押圧する第１位置と、前記第２のパッド部材が前記エンドレスベルトを前記回転体に向けて押圧しない第２位置との間で、前記第２のパッド部材を移動させる移動機構と、
前記回転体と対向する前記第１のパッド部材の表面と、前記回転体と対向する前記第２のパッド部材の表面を覆う単一のシート状部材と、
記録材の種類に基づいて前記移動機構の動作を制御する制御部であって、記録材が第１の坪量であるときに前記第２のパッド部材が前記第１位置に、記録材が第１の坪量よりも小さい第２の坪量であるときに前記第２のパッド部材が前記第２位置に、それぞれ位置するように前記移動機構を制御する前記制御部と、を備えた
ことを特徴とする画像加熱装置。
【請求項２】
記録材上のトナー像を加熱するためのニップ部を形成するエンドレスベルト及び回転体と、
記録材の搬送方向に沿って設けられ、前記エンドレスベルトをその内側から前記回転体に向けて押圧する第１のパッド部材及び第２のパッド部材と、
前記第２のパッド部材が前記エンドレスベルトを前記回転体に向けて押圧する第１位置と、前記第２のパッド部材が前記エンドレスベルトを前記回転体に向けて押圧しない第２位置との間で、前記第２のパッド部材を移動させる移動機構と、
前記回転体と対向する前記第１のパッド部材の表面と、前記回転体と対向する前記第２のパッド部材の表面を覆う単一のシート状部材と、を備え、
前記第２のパッド部材は、前記第２のパッド部材が前記第１位置に位置するときに前記第１のパッド部材に当接する当接部を有する
ことを特徴とする画像加熱装置。
【請求項３】
前記当接部は、弾性部材を有する
ことを特徴とする請求項２に記載の画像加熱装置。
【請求項４】
記録材上のトナー像を加熱するためのニップ部を形成するエンドレスベルト及び回転体と、
記録材の搬送方向に沿って設けられ、前記エンドレスベルトをその内側から前記回転体に向けて押圧する第１のパッド部材及び第２のパッド部材と、
前記第２のパッド部材が前記エンドレスベルトを前記回転体に向けて押圧する第１位置と、前記第２のパッド部材が前記エンドレスベルトを前記回転体に向けて押圧しない第２位置との間で、前記第２のパッド部材を移動させる移動機構と、
前記回転体と対向する前記第１のパッド部材の表面と、前記回転体と対向する前記第２のパッド部材の表面を覆う単一のシート状部材と、を備え、
前記第２のパッド部材は、記録材の搬送方向に関して前記第１のパッド部材の上流側に配置されている
ことを特徴とする画像加熱装置。
【請求項５】
記録材上のトナー像を加熱するためのニップ部を形成するエンドレスベルト及び回転体と、
記録材の搬送方向に沿って設けられ、前記エンドレスベルトをその内側から前記回転体に向けて押圧する第１のパッド部材及び第２のパッド部材と、
前記第２のパッド部材が前記エンドレスベルトを前記回転体に向けて押圧する第１位置と、前記第２のパッド部材が前記エンドレスベルトを前記回転体に向けて押圧しない第２位置との間で、前記第２のパッド部材を移動させる移動機構と、
前記回転体と対向する前記第１のパッド部材の表面と、前記回転体と対向する前記第２のパッド部材の表面を覆う単一のシート状部材と、
前記エンドレスベルトの内側に配置され、前記エンドレスベルトを回転可能に支持するローラと、を備えた
ことを特徴とする画像加熱装置。
【請求項６】
前記第１のパッド部材及び前記第２のパッド部材を覆う前記単一のシート状部材の一部は、前記第２のパッド部材が前記第１位置に位置するときに、前記エンドレスベルトの内面に摺動可能である
ことを特徴とする請求項１ないし５の何れか１項に記載の画像加熱装置。
【請求項７】
前記第１のパッド部材を覆う前記単一のシート状部材の一部は、前記第２のパッド部材が前記第２位置に位置するときに、前記エンドレスベルトの内面に摺動可能である
ことを特徴とする請求項１ないし６の何れか１項に記載の画像加熱装置。
【請求項８】
前記第１のパッド部材は、画像加熱動作の実行中は、実質的に静止している
ことを特徴とする請求項１ないし７の何れか１項に記載の画像加熱装置。
【手続補正２】
【補正対象書類名】明細書
【補正対象項目名】０００１
【補正方法】変更
【補正の内容】
【０００１】
本発明は、記録材上のトナー像を加熱する画像加熱装置に関する。この画像加熱装置は、例えば、複写機、プリンタ、ＦＡＸ、及びこれらの機能を複数備えた複合機等の画像形成装置において用いられ得る。
【手続補正３】
【補正対象書類名】明細書
【補正対象項目名】００１４
【補正方法】変更
【補正の内容】
【００１４】
本発明に係る画像加熱装置は、記録材上のトナー像を加熱するためのニップ部を形成するエンドレスベルト及び回転体と、記録材の搬送方向に沿って設けられ、前記エンドレスベルトをその内側から前記回転体に向けて押圧する第１のパッド部材及び第２のパッド部材と、前記第２のパッド部材が前記エンドレスベルトを前記回転体に向けて押圧する第１位置と、前記第２のパッド部材が前記エンドレスベルトを前記回転体に向けて押圧しない第２位置との間で、前記第２のパッド部材を移動させる移動機構と、前記回転体と対向する前記第１のパッド部材の表面と、前記回転体と対向する前記第２のパッド部材の表面を覆う単一のシート状部材と、記録材の種類に基づいて前記移動機構の動作を制御する制御部であって、記録材が第１の坪量であるときに前記第２のパッド部材が前記第１位置に、記録材が第１の坪量よりも小さい第２の坪量であるときに前記第２のパッド部材が前記第２位置にそれぞれ位置するように前記移動機構を制御する前記制御部と、を備えたことを特徴とする。
また、本発明に係る画像加熱装置は、記録材上のトナー像を加熱するためのニップ部を形成するエンドレスベルト及び回転体と、記録材の搬送方向に沿って設けられ、前記エンドレスベルトをその内側から前記回転体に向けて押圧する第１のパッド部材及び第２のパッド部材と、前記第２のパッド部材が前記エンドレスベルトを前記回転体に向けて押圧する第１位置と、前記第２のパッド部材が前記エンドレスベルトを前記回転体に向けて押圧しない第２位置との間で、前記第２のパッド部材を移動させる移動機構と、前記回転体と対向する前記第１のパッド部材の表面と、前記回転体と対向する前記第２のパッド部材の表面を覆う単一のシート状部材と、を備え、前記第２のパッド部材は、前記第２のパッド部材が前記第１位置に位置するときに前記第１のパッド部材に当接する当接部を有することを特徴とする。
また、本発明に係る画像加熱装置は、記録材上のトナー像を加熱するためのニップ部を形成するエンドレスベルト及び回転体と、記録材の搬送方向に沿って設けられ、前記エンドレスベルトをその内側から前記回転体に向けて押圧する第１のパッド部材及び第２のパッド部材と、前記第２のパッド部材が前記エンドレスベルトを前記回転体に向けて押圧する第１位置と、前記第２のパッド部材が前記エンドレスベルトを前記回転体に向けて押圧しない第２位置との間で、前記第２のパッド部材を移動させる移動機構と、前記回転体と対向する前記第１のパッド部材の表面と、前記回転体と対向する前記第２のパッド部材の表面を覆う単一のシート状部材と、を備え、前記第２のパッド部材は、記録材の搬送方向に関して前記第１のパッド部材の上流側に配置されていることを特徴とする。
また、本発明に係る画像加熱装置は、記録材上のトナー像を加熱するためのニップ部を形成するエンドレスベルト及び回転体と、記録材の搬送方向に沿って設けられ、前記エンドレスベルトをその内側から前記回転体に向けて押圧する第１のパッド部材及び第２のパッド部材と、前記第２のパッド部材が前記エンドレスベルトを前記回転体に向けて押圧する第１位置と、前記第２のパッド部材が前記エンドレスベルトを前記回転体に向けて押圧しない第２位置との間で、前記第２のパッド部材を移動させる移動機構と、前記回転体と対向する前記第１のパッド部材の表面と、前記回転体と対向する前記第２のパッド部材の表面を覆う単一のシート状部材と、前記エンドレスベルトの内側に配置され、前記エンドレスベルトを回転可能に支持するローラと、を備えたことを特徴とする。
【手続補正４】
【補正対象書類名】明細書
【補正対象項目名】００６５
【補正方法】変更
【補正の内容】
【００６５】
パッド可変機構１８０は定着パッド１７３ａに対して可変パッド１７３ｂの位置を切り替える機構である。具体的にはパッド可変機構１８０は可変パッド１７３ｂを定着パッド１７３ａから所定に離間させた第１ポジション（第２位置）に配置する第１の動作を実行可能である。また、パッド可変機構１８０は可変パッド１７３ｂを定着パッド１７３ａに対して所定に隣接させて定着パッド１７３ａと共に上記の第１の幅よりも幅広の第２の幅のニップ部Ｎ２（図１）を形成するための第２ポジション（第１位置）に配置する第２の動作を実行可能である。
【手続補正５】
【補正対象書類名】明細書
【補正対象項目名】００６９
【補正方法】変更
【補正の内容】
【００６９】
より具体的には、ＣＰＵ１０は定着処理を行う用紙Ｓの坪量が所定値以上（第２の坪量）であるときは上記の第２の動作が実行されるようにパッド可変機構１８０を制御する。また、所定値未満（第１の坪量）であるときは上記の第１の動作が実行されるようにパッド可変機構１８０を制御する。
【手続補正６】
【補正対象書類名】明細書
【補正対象項目名】０１０５
【補正方法】変更
【補正の内容】
【０１０５】
使用される用紙の坪量（シート坪量）が１５１ｇｓｍ以上であれば、ＣＰＵ１０は可変パッド位置検知手段（不図示）からの信号により可変パッド１７３ｂが図７Ｂの離間位置Ｘにあるか否かを判断する。離間位置Ｘにあると判断されたら、モータドライバ４１０Ｄを介してパッド駆動モータ４１０を駆動して可変パッドカム１８２を半回転駆動させる。即ち、可変パッド１７３ｂを図７Ｂの離間位置Ｘから図７Ｃ、図７Ｄの当接位置Ｙに移動させる＜Ｓ１０−００２＞。離間位置Ｘにないと判断されたら、パッド駆動モータ４１０を駆動せず可変パッド１７３ｂを当接位置Ｙのまま待機させる。